(57)【特許請求の範囲】
【請求項１】
ＮＴＳＣ方式の複合カラーテレビジョン信号のクロミナンス成分と輝度成分とを分離する方法であって、前記方法は、
前記複合カラーテレビジョン信号の第１の周波数成分のセットのそれぞれに於けるマグニチュードを、前記複合カラーテレビジョン信号のそれぞれの第２の周波数成分のそれぞれと比較するステップを含み、各第２の周波数成分は、カラーサブキャリア周波数からの周波数差を有し、前記周波数差は、前記第１の周波数成分に関連するカラーサブキャリア周波数からの周波数差に等しく且つそれとは反対であり、更に、前記比較は、前記第１の周波数成分のマグニチュードが、実質的に、対称的な両側波クロミナンスを表示する第２の周波数成分のマグニチュードと等しいか否かを識別するものであり、更に、
比較された第１及び第２の周波数成分のそれぞれの１つを、前記第１の周波数成分の水平空間周波数、垂直空間周波数又は時間周波数に依存して変化する関数で修正し、それによって、前記第１の周波数成分の前記マグニチュードが、実質的に前記第２の周波数成分の前記マグニチュードと等しくない場合に、前記周波数成分のマグニチュードを減少させ、又、前記第１の周波数成分の水平空間周波数、垂直空間周波数又は時間周波数が、スペクトルが固有的に対称両側波クロミナンスを模倣する様な場合には、前記周波数成分のマグニチュードを減少させるようにする、
ステップを含むことを特徴とする方法。
【請求項２】
前記比較は、復調されたベースバンドクロミナンス信号を処理することによって行われることを特徴とする請求項１記載の方法。
【請求項３】
ＮＴＳＣ方式の複合カラーテレビジョン信号を復号する方法であって、
前記信号の歪みが補正され、前記方法は、前記複合カラーテレビジョン信号の第１の周波数成分のセットのそれぞれに於けるマグニチュードを、前記複合カラーテレビジョン信号のそれぞれの第２の周波数成分のそれぞれと比較するステップを含み、各第２の周波数成分は、カラーサブキャリア周波数からの周波数差を有し、前記周波数差は、前記第１の周波数成分に関連するカラーサブキャリア周波数からの周波数差に等しく且つそれとは反対であり、更に、前記比較は、前記第１の周波数成分のマグニチュードが、実質的に、対称的な両側波クロミナンスを表示する第２の周波数成分のマグニチュードと等しいか否かを識別するものであり、
クロミナンスチャネルにおいて、前記第１の周波数成分のマグニチュードが実質的に前記第２の周波数成分のマグニチュードと等しい場合、前記周波数成分が上側クロミナンス側波帯又は下側クロミナンス側波帯のうちいずれであるか決定し、上側クロミナンス側波帯が識別された場合、上側クロミナンス側波帯のアンプリチュードが、対応する下側クロミナンス側波帯のアンプリチュードに等しくすることによって補正され、且つ前記対応する下側クロミナンス側波帯は、その水平空間周波数と垂直空間周波数と時間周波数とに関して識別され、前記第１の周波数成分のマグニチュードが実質的に前記第２の周波数成分のマグニチュードと等しくない場合、前記第１の周波数成分のマグニチュードと前記第２の周波数成分のマグニチュードが減少し、
輝度チャネルにおいて、前記第１の周波数成分のマグニチュードが実質的に前記第２の周波数成分のマグニチュードと等しい場合、前記第１の周波数成分のマグニチュードと前記第２の周波数成分のマグニチュードが減少し、
前記クロミナンス側波帯のアンプリチュードが、対応する空間周波数に於ける前記ＮＴＳＣ方式の複合カラーテレビジョン信号の輝度情報の測定値に依存して変化することを特徴とする復号方法。
【請求項４】
前記信号は、ライン周波数の整数倍でサンプリングされることを特徴とする請求項１乃至３のいずれかに記載のテレビジョン信号を処理する方法。
【発明の詳細な説明】
【技術分野】
【０００１】
本発明は、複合カラーテレビジョン信号のカラー成分への復号に関する。
【背景技術】
【０００２】
ＮＴＳＣおよびＰＡＬといった複合カラーテレビジョンシステムは、信号の輝度とクロミナンスの成分が同じスペクトルを占有し、なおクロストーク（漏話）の許容可能レベルで分離され得るように設計される。表示のために複合信号を使用することは常に、この信号が３原色成分（赤、緑、青）に分離（復号）されることを必要とし、他の多くの処理操作は、少なくとも輝度からのクロミナンスの分離を必要とし、しばしばクロミナンスの復号を更に必要とする。
【０００３】
特定のアプリケーションに関する復号方法の選択は、クロミナンスと輝度との間のクロストークの許容可能レベルと、分離処理の結果としての所望のクロミナンスと輝度のひずみの程度とに依存する。画像が大きなスクリーンに表示される場合、またはフィルムから引き出された画像との比較に耐えなくてはならない場合には、クロストークとひずみが無視できるほどの最高レベルのクロミナンス・輝度分離が必要である。
【０００４】
高品質の複合信号復号器は、実輝度によって複製されそうもない高い空間周波数の可動対角キャリア上にクロミナンスが変調されるということを利用する。幾つかのラインとフィールドとからの寄与を使用することによって、信号スペクトルの異なる部分を輝度とクロミナンスとに割り当てるので典型的な映像上でほとんどクロストークのない分離を達成する櫛型フィルタを作製することができる。しかしながら重要な素材のクロストークまたはひずみを避けるように、映像素材のタイプに依存してフィルタの周波数特性を「適応させる」ことがしばしば必要になる。
【０００５】
欧州特許第１１７５１０２号は、信号を周波数領域に変換するために高速フーリエ変換（ＦＦＴ）を使用し、それからサブキャリア周波数に関するスペクトルの対称性を調査することによってこれを行う新規な方法を提示している。クロミナンス成分は振幅変調されているので、ベースバンドクロミナンスの各フーリエ成分は、結果としてサブキャリア周波数の周りに対称に配置された１対の等振幅側波帯になる。各周波数成分を相対するクロミナンス側波帯に対応する対応成分と比較することによって、特定の成分が輝度またはクロミナンスを表すかどうかを決定することが可能である。
【０００６】
この引用された特許は、この手法をＮＴＳＣに適用する方法を説明しておらず、また信号がサブキャリア周波数の倍数でサンプリングされるアプリケーションに限定されている。
【発明の開示】
【発明が解決しようとする課題】
【０００７】
本発明者は、従来技術の適用可能性を広げる多数の改良点が存在すること、特にこれがＮＴＳＣの復号に応用可能であることと、符号化された信号に存在し得るある幾つかのひずみが修正され得ることと、この処理が任意のサンプリング速度で復調クロミナンス信号に対して実行し得ることとを認めている。
【課題を解決するための手段】
【０００８】
本発明は、複合カラーテレビジョン信号の第１の周波数成分をこの信号の第２の周波数成分と比較することによってこの複合カラーテレビジョン信号のクロミナンスと輝度とを分離する方法であって、この第２の成分は第１の周波数成分のカラーサブキャリアからの周波数差に等しくて相対するカラーサブキャリアからの周波数差を持っており、この比較は第１の周波数成分の周波数に依存して異なることを特徴とする方法の一態様にある。
【０００９】
適切には、この比較は前記第１の周波数成分の水平空間周波数に依存して異なる。
有利には、この比較は前記第１の周波数成分の垂直空間周波数に依存して異なる。
更に、この比較は前記第１の周波数成分の時間周波数に依存して異なり得る。
【００１０】
更なる実施形態において、この比較は複合信号の水平、垂直、または時間の差に依存して異なり得る。
有利には、この時間差はクロミナンス復調器の出力から導出され得る。
【００１１】
更なる態様において本発明は、複合カラーテレビジョン信号の第１の周波数成分をこの信号の第２の周波数成分と比較することによってこの複合カラーテレビジョン信号のクロミナンスと輝度とを分離する方法であって、前記第２の成分は前記カラーサブキャリアからの第１の周波数成分の周波数差に等しくて相対するカラーサブキャリアからの周波数差を持っており、前記比較は復調されたベースバンドクロミナンス信号の周波数成分間で行われることを特徴とする方法からなる。
【００１２】
なお更なる態様において本発明は、複合カラーテレビジョン信号のひずみを修正する方法であって、上側クロミナンス側波帯が識別され、その振幅がそれを対応する下側クロミナンス側波帯の振幅に等しくすることによって修正されることを特徴とする方法からなる。
有利には、前記対応する下側波帯はその水平空間周波数と垂直空間周波数と時間周波数との座標に関して識別される。
【００１３】
なお更なる態様において本発明は、入力信号を周波数成分に分解するステップと、クロミナンスと輝度の大きさを各周波数における成分に割り当てるステップとを含む、複合カラーテレビジョン信号のクロミナンス成分と輝度成分とを分離する方法であって、ある特定の成分のクロミナンスへの割当ては対応する空間周波数における複合信号の輝度情報の測定値に依存して片寄らされることを特徴とする方法からなる。
好適には、前記入力信号は複合テレビジョン信号であるが、前記入力信号はテレビジョン信号の復調されたクロミナンス信号でもあり得る。
【発明を実施するための最良の形態】
【００１４】
本発明の例は、下記の図面を参照しながら説明される。
最初に、従来技術の欠点を説明するために、既知の復号器が説明される。図１を参照すると、そのカラーサブキャリア周波数の４倍（４ｆＳＣ）でサンプリングされた複合ＰＡＬ信号（１）は、３次元の空間的にオーバーラップしたブロックに分割され（２）、各ブロックにウィンドウ関数（３）が適用され、各ブロックの３次元ＦＦＴが取られる（４）。
【００１５】
３次元ブロックは、多数の連続するフィールドから取られた空間的時間的に隣接するピクセル、例えばトータルで２０４８ピクセルを与える、８個の連続フィールド上の１６本の垂直方向に隣接するライン上の１６個の水平方向に隣接するピクセルのブロックを意味する。
【００１６】
ＦＦＴの結果は、水平空間周波数と垂直空間周波数と時間周波数とに関してピクセルのブロックを定義する２０４８個の周波数成分の１セット（上記の例の場合）になるであろう。各成分は、振幅値と位相値の両方を持っている。これらの成分は、クロミナンスを表す成分だけが逆ＦＦＴ（１０）に入力されるように、輝度によってこれらを除去するように処理されるであろう。
【００１７】
ブロック（５）は、各成分の大きさを決定する。除算器（６）は、各成分を単位振幅に正規化するように、各成分をその大きさで除算する。
コンパレータ（８）は、各成分の大きさを一つの他成分の大きさと比較する。この他成分は、カラーサブキャリア周波数からのその３次元周波数差がカラーサブキャリアからのその成分自身の周波数差に等しくて相対する成分であるように（ブロック（７）によって）選択される。
【００１８】
この点は図２に示されており、この図は対応する周波数成分の選択が垂直周波数次元と時間周波数次元とにおいてどのように行われるかを示している。信号は（ライン構造によって）垂直方向に、また（フィールド構造によって）時間方向にサンプリングされているので、スペクトルは図示のように垂直方向、時間方向に繰り返されている。この図は、カラーサブキャリアのスペクトル位置（ｆＳＣ）と処理すべき周波数成分（ｘ）とを示している。等しくて相対する周波数差を有する成分の位置は(ｗ)で示されている。完全のためにこの図は、（位相が交互になる）Ｖキャリア（Ｖ）の位置も示している。
【００１９】
図２は、垂直次元と時間次元だけを示しており、スペクトルの水平次元は大きさ比較のために選択される周波数成分（ｗ）を決定する際にアナログ的な仕方で処理されなくてはならないことが留意されなくてはならない。
【００２０】
図１に戻ると、ブロック（８）は、二つの比較された成分のうちの小さいほうの大きさを乗算器（９）に出力する。前に説明したように乗算器への第２の入力は、処理される成分の位相を有する単位大きさの成分である。したがって乗算器の出力は、元の位相を持つが関連「サブキャリア反射」成分がより小さい振幅を持つ場合には減少した振幅を有する修正された周波数成分である。
【００２１】
各ブロック内の２０４８個すべての周波数成分はこのように処理されて逆ＦＦＴ（１０）に入力され、この逆ＦＦＴ（１０）の出力は減衰した輝度周波数を有するピクセルのフィルタリングされた１ブロックである。
【００２２】
この処理の結果は、ブロック（１１）においてウィンドウ処理された２０４８個のクロミナンスピクセルの３次元ブロックである。このウィンドウは、ウィンドウ（３）とのその組合せが隙間なく隣接する応答を与えるように、すなわち出力ブロックが結合される（１２）ときブロック内の位置に振幅依存性が存在しないように選択される。一例は、各ウィンドウに関して、結合のために高いコサイン応答を与える同じコサイン（余弦）曲線関数を使用することである。
【００２３】
ブロック（１２）の出力は、分離された輝度出力（１４）を与えるためにブロック（１３）内で複合入力から（適当な処理遅延許容値をもって）減算され得る、またベースバンドＵ、Ｖ色差出力（１６）を与えるために復調され（１５）得る変調されたクロミナンス信号である。
【００２４】
図２の点検は、スペクトルの反復構造のために対称な両側波帯クロミナンスを本質的に模倣する幾つかの周波数が存在することを示す。これらの一つは、位相が交互になるＶ軸キャリアであって、これは真のクロミナンス成分であるから幸運である。もう一つは、位置（ａ）における可動対角パターンであり、これは反対方向に３分の１の速度で移動することを除いて真のサブキャリアと同じである。更なる一例は、（ｂ）に示されており、反対方向に３分の１の速度で移動することを除いてＶ軸キャリアと同じである。これら両パターンは、従来技術にしたがって復号されるとき、粗いクロスカラー（画像のゆがみ）を生じさせるであろう。
【００２５】
従来技術の手法の更なる欠点は、両色差信号が同じ（または極めて近い）周波数を有する側波帯を生じさせるときに明らかになる。この場合その成分の大きさは、二つのベースバンド色差成分の相対位相に依存し、予期される対称性は結果的に得られない可能性がある。これは、Ｕ、Ｖキャリアが異なる空間時間周波数を持つので、ＰＡＬでは可能性がより小さい。しかしながらＮＴＳＣでは、二つの色差信号が同じキャリア周波数上に変調されるので、この状況はよく、色つきパターンまたはテクスチャの符号化の結果から得られる可能性がある。
【００２６】
今度は図３を参照しながら本発明の一実施形態が説明されるであろう。これは、図１の最小関数（８）がルックアップテーブル（参照表）（３０８）によって置き換えられていることを除いて図１と同じ構造を有する復号器を示す。
【００２７】
このテーブルは、処理される周波数成分の大きさとサブキャリアに関して対称に配置された対応する成分の大きさとに関する入力と、ある場合には三つの周波数次元すべてを含む、処理される成分の周波数を定義する周波数決定ブロック（３１８）からの第３の入力とを有する。
【００２８】
周波数入力は、ある幾つかの周波数が異なって処理されることを可能にし、特に水平クロミナンスバンド内の異なる周波数は、それらの３次元周波数成分のすべてまたはいずれかに依存して異なって処理され得る。ルックアップテーブルは、処理される成分の異なる周波数または周波数範囲に対応する、異なる「ページ」を持つことができる。例えば図２の周波数（ａ）、（ｂ）は、クロスカラーと、激しく減衰しているそれらの大きさとの源と見なすことができる。
【００２９】
周波数依存動作を可能とするばかりでなくルックアップテーブルは、二つの成分の振幅の任意関数が逆ＦＦＴ（３１０）に渡される成分の大きさを決定するために使用されることを可能にする。
【００３０】
適当な関数の例は、図４に示されている。この図は、処理される周波数と、同等の「サブキャリア反射」周波数成分との種々の大きさに関するテーブル出力の図を示す。
【００３１】
これら二つの成分が実質的に等しい振幅を有する場合に出力は処理される成分の振幅に対応することが知られ得る。しかしながら振幅が大きく異なる場合には、テーブル出力はゼロである。これら二つの領域間で出力は、これら二つの値の間を滑らかに変化する。
【００３２】
周波数を含む関数の使用は、ＮＴＳＣ信号の復号を実行可能にする。これは、従来技術では不可能と考えられる。この場合、ＦＦＴのためのピクセルの適当なブロックは、水平方向１６ライン×垂直方向４フィールド×１６ピクセルである。
【００３３】
図５は、ＮＴＳＣクロミナンスの垂直／時間構造を示す。図２に示したと同じ仕方で周波数（ｘ）は、（ｘ）が真のクロミナンスによる場合には周波数（ｗ）と同時に発生するであろう。しかしながらカラーサブキャリアに関して本質的に対称である（スペクトル反復のせいで）周波数は、ＰＡＬの場合より遥かに厄介である。
【００３４】
周波数（ｏ）を考えてみる。これは、垂直／時間平面の原点に在り、細かい垂直ストライプの静止パターンに対応する。これは、サブキャリアに関して対称に繰り返し、したがって従来技術の素朴なアプリケーションの場合には、細かいクロスカラーの有力な源になるであろう。
【００３５】
周波数（ｄ）は、（カラーサブキャリアの２倍垂直周波数を有する）静止対角パターンに対応し、またクロスカラーの源にもなるであろう。大抵の映像源はこの周波数を避けるために予めフィルタリングされるであろうが（この周波数が激しくエイリアシングされるであろうから）、静止した細部がクロスカラーを与えることは望ましくない。
【００３６】
したがって減衰させられるべき図５の位置（ｏ）、（ｄ）に近い周波数成分を用意することによってＮＴＳＣを復号するために図３の復号器を使用することができる。これは、これらの周波数において無視し得る出力を与えるようにルックアップテーブルをプログラミングすることによって行われる。テーブル内容を生成する適当な方法は、元の符号化されていないＲＧＢまたはＹＵＶ成分が利用可能である素材を復号することによって、また復号された出力内の誤りを最小にするようにテーブルを最適化することによってテーブルを「調整する」ことである。
【００３７】
二つのベースバンドクロミナンス成分から結果的に得られる同じ側波帯周波数のＮＴＳＣにおけるより大きな可能性は、周波数に関するルックアップテーブル応答の変化がＰＡＬ復号器の場合より大きいであろうことを意味する。
【００３８】
今度は、復調されたクロミナンス信号について処理が実行される本発明のもう一つの態様の例が説明されるであろう。
本発明のこの態様による復号器は、図６に示されている。任意の都合の良い周波数（例えば直交ライン固定サンプリング周波数）でサンプリングされ得る複合ディジタル入力（６０１）は、同相で直角位相のベースバンドクロミナンス成分を出力する単純なクロミナンス復調器（６１７）に入力される。ＰＡＬの場合にはＶ軸復調器は交互のライン上で反転されるべきではない。これらの復調された成分の帯域幅は、クロミナンス帯域のすべてが含まれることを保証するために十分に広くされる。これらの復調された成分がクロスカラーを含むであろうことは無論である。
【００３９】
復調を実行するために、ビデオサンプル速度におけるサンプルの点からカラーサブキャリアを表すことと、復調するサブキャリアの位相をビデオ入力の基準バーストに固定することとが必要である。「比率計数」を含む既知の手法が使用できる。
【００４０】
復調された成分は、復調のために使用された同じキャリアを使用して再変調され（６１９）、輝度だけを含む信号を与えるために複合入力から減算される（６２０）。
これら二つの復調された成分は、図１、３と同じ仕方でオーバーラップしたブロックに分割され（６０２）、ウィンドウ処理される（６０３）。各ブロックは、これら二つの成分を複素変数の実数部と虚数部として取り扱う複素３次元ＦＦＴ（６０４）に加えられる。結果として得られる周波数成分は、対称成分を識別して逆ＦＦＴ（６１０）に渡すようにブロック（６０５）、（６０６）、（６０７）、（６０８）、（６０９）によって前述と同じ仕方で処理される。
【００４１】
信号は復調されているので、カラーサブキャリアに対応する水平周波数はゼロになるであろうし、したがって水平周波数の対称性の決定は、位相情報の使用を必要とする。これは、ＦＦＴ（６０４）が信号を複素変数として処理するので可能である。垂直・時間処理は、上述の処理と類似であり得る。
【００４２】
逆ＦＦＴ（６１０）の実数出力と虚数出力はウィンドウ処理され（６１１）、これらのブロックは二つの、クロスカラーのない色差信号（６１６）を与えるために結合される（６１２）。ＰＡＬの場合、Ｖ軸成分は復調段階でこれが行われなかったので交互のライン上で反転されなくてはならない。
【００４３】
この「クリーンな（清浄な）」クロミナンスは、ベースバンドクロスカラーを与えるために未処理の復調されたクロミナンスから減算される（６１３）（処理遅延のための当然の余裕を見込んで）。これは、真の輝度を与えるために復調に使用された同じキャリア上に再変調される（６２１）。この輝度は、減算器（６２０）の出力に（正しい位相と適当なタイミングで）加算される（６２２）。この結果は、クロスルミナンスのない完全帯域幅輝度出力（６１４）である。
【００４４】
図６の復号器構造は、ＰＡＬまたはＮＴＳＣのために使用でき、単に本質的な差異は、復調と再変調のための適当なサブキャリアの生成と、クロミナンスと輝度を分離するためのルックアップテーブルと、ＰＡＬのためのＶ成分の交番ライン位相反転である。
【００４５】
これまで説明した復号器は、「相補的」であって、すなわち入力周波数はまったく失われず、それらは輝度チャネルまたはクロミナンスチャネルどちらかで処理され、クロミナンスと輝度の周波数応答の和は、単一である。これは、復号処理の理論的可逆性を保証している。
【００４６】
もし可逆性が要件でなければ、クロミナンス応答と輝度応答とを互いに独立に最適化することが有利であり得る。図７は、この可能性を与える復号器を示す。
図７を参照すると、図３の復号器とのある類似性があることが見られるであろう（対応する機能ブロックの参照数字は最初の桁が異なるだけである）。差異は、ルックアップテーブル（７０８）が一方の出力は輝度応答を制御し、他方はクロミナンス応答を制御する二つの出力を持つことである。除算器７０６からの単位振幅周波数成分を輝度信号とクロミナンス信号とに変換する二つの別々の処理チェーン（７０９Ｃ〜７１２Ｃ、および７０９Ｙ〜７１２Ｙ）が存在する。
【００４７】
ルックアップテーブル７０８は、一方のテーブルは乗算器（７０９Ｙ）のために輝度振幅制御信号を生成し、他方のテーブルは乗算器（７０９Ｃ）のためにクロミナンス振幅制御信号を生成する、共通の入力を有する二つの別々のテーブルと見なすことができる。これらの乗算器は、それぞれの逆ＦＦＴ段階（７１０Ｙ）、（７１０Ｃ）に入力される周波数成分の大きさを制御する。
【００４８】
図８は、輝度振幅制御信号がサブキャリア周波数に近いテーブル「ページ」のためのテーブル入力にどのように依存しているかの一例を示す。処理される周波数成分の振幅が対応する「反射された」成分の振幅に類似している場合には、テーブルからの出力はゼロである。二つの周波数成分がかなり異なる振幅を有する場合には、テーブル出力は処理される周波数成分の振幅に対応する。これらの条件の間でテーブル出力は、これら二つの状態の間を滑らかに変化する。この応答は、図４に示す応答の「相補分」である。
【００４９】
図９は、テーブルの類似領域に関するクロミナンス振幅制御信号を示す。クロミナンステーブルは輝度チャネルの必要によって束縛されないので、クロミナンスのひずみを修正する応答は実現可能である。周波数成分とその反射とが大きさにおいてほぼ等しい場合には、出力はこれら二つの振幅の平均に等しく、さもなければ応答は図４に示したものに類似している。この平均化は、復号器に先立つ伝送チェーンにおけるフィルタによって上側クロミナンス側波帯の望ましくない減衰の結果から生じるＵ／Ｖクロストークを除去することができる。
【００５０】
Ｕ／Ｖクロストークは除去されるが、クロミナンス解像度は低下する。図１０は、失われたクロミナンス解像度を回復するもう一つのクロミナンスルックアップテーブル関数を示す。ここで、テーブルに入力される周波数は、処理される周波数成分が上側または下側クロミナンス側波帯であるかどうか（すなわち空間周波数に対応する信号周波数が変調されていないサブキャリア周波数の信号周波数より高いか低いかどうか）を決定するために使用される。処理される周波数が上側波帯に対応し、その振幅が、対応する下側波帯の振幅よりわずかに小さい場合には、テーブル出力はそれぞれの下側波帯の振幅に対応する。下側クロミナンス側波帯が処理されている可能性があることをテーブルに入力された周波数が示す場合は、図４に示すような応答が使用される。こうしてＵ／Ｖクロストークと同様に高い周波数のクロミナンス損失も修正される。
【００５１】
テーブルを生成する適当な方法は、ある範囲の側波帯損失を受けた複合素材を使用して上述のようにテーブルを「調整する」ことである。
図９、１０のクロミナンス処理方法は、修正されたクロミナンスが入力クロミナンスを打ち消さず、またその結果クロスルミナンスが生じるので、図３または６の復号器には適当でない。しかしながら図６の復号器は、図１１に示すような別の輝度経路を含むように修正され得る。図６に対応する図１１のこれらの要素は、（６＊）が（１１＊）に置き換えられた、同様な参照数字を与えられている。ルックアップテーブル（１１０８）は、図７の復号器と同じ仕方でクロミナンス応答と輝度応答とを制御するために別々の出力を持っている。
【００５２】
異なる周波数がルックアップテーブルの異なるページをアドレス指定できることが説明された。周波数の代わりに、または周波数と同様に他のパラメータが使用できる。使用されるページを決定するために、垂直信号差、水平信号差、または時間信号差が使用可能である。変換は３次元未満の周波数次元を使用する可能性があり、例えば時間次元は省略され、復号される画像内の動きを識別するために信号差が頼りにされる可能性がある。
【００５３】
更なる改良は、高い振幅クロミナンスを含み得ない複合信号スペクトルの低周波部分を分析して、復調されたクロミナンスの空間周波数と一致する空間周波数成分が存在するかどうかに注目することによって可能である。もし対応する成分が見出されれば、復調されたクロミナンスが真のクロミナンスである可能性はより高くなる。もし相関がなければ、復調された信号はクロスカラーである可能性がより高くなる。したがってクロミナンスへの特定の周波数成分の割当は、片寄らされる可能性がある。
【００５４】
図１２は、このような処理がどのように実行され得るかの一例を示す。この図は、改良された性能を得るために図６に示す処理と組み合わされ得る更なる処理を示す。図１２を参照すると、低周波入力（１２０１）はオーバーラップするブロック（１２０２）に分離されてウィンドウ処理され（１２０３）、ＦＦＴプロセッサ（１２０４）に入力される。
【００５５】
入力（１２０１）は、適当なローパスフィルタリング（低域濾波処理）後の復号器入力、またはより好都合には図６の減算器（６２０）の出力であり得る。その意図は、高振幅クロミナンス成分を含まないほどサブキャリア周波数から離れた、スペクトルの部分だけを処理することである。
【００５６】
ブロック構造は、結果が追加情報をルックアップテーブル（６０８）に与えるために使用されるので、輝度／クロミナンス分離処理で使用されたものと同じであるべきであり、またこの処理は、これと並行して行われるべきである。
【００５７】
ＦＦＴ処理（１２０４）の出力は、ピクセルの現在ブロックのスペクトルを記述する１セットの周波数係数である。係数セレクタ（１２０５）は、制御アドレス（１２０６）に依存してこれらの係数のうちの一つを選択する。この制御アドレスは、図６のブロック（６１８）から出力された周波数値である。出力（１２０７）は、ルックアップテーブル（６０８）の動作を修正するために使用される。
【００５８】
ブロック(１２０５)によって選択されるために必要とされる周波数は実際には、ルックアップテーブル（６０８）がベースバンドクロミナンスを処理しているのでこのテーブル内で処理される成分の周波数と同じである。したがってセレクタ（１２０５）の出力は、ルックアップテーブル内で現在分析されつつあるクロミナンスと同じ空間周波数を有する輝度が存在するかどうかの測定値である。したがってブロック（１２０５）からの出力（１２０７）の大きさは、その決定を真のクロミナンスの方へ片寄らせるためにルックアップテーブル内で使用され得る。これは、ブロック（１２０５）の出力の大きさを「ソフト」閾値であり得る適当な閾値と比較することによって達成され得る。
【００５９】
更に正確な方法は、セレクタ（１２０５）の出力における低周波数輝度係数の大きさをルックアップテーブルによって処理される係数の大きさと比較することである。輝度係数の大きさ（（１２０５）の出力における）がブロック（６０５）から出力される係数（輝度またはクロミナンスとして識別される）の大きさより著しくは小さくはないとき、テーブル（６０８）は乗算器（６０９）の利得を増加させることによって関連周波数をクロミナンスに割り当てることの方に片寄らされる。
【００６０】
図３の復号器は、低周波数輝度情報を利用するように修正することもできる。これは、図３のブロック（３０５）、（３０７）、（３０８）、（３１８）の修正版を示す図１３に示されている。
【００６１】
図１３を参照すると、復号されるべき信号から導出された１セットの周波数係数（１３０１）は、各それぞれの係数のどれほど多くが復号器のクロミナンスチャネルと輝度チャネルとに割り当てられるかを決定する、対応する１セットの利得制御信号（１３０２）を決定するために処理される。
【００６２】
この決定は、ブロック（１３０５）からの処理される係数の大きさと、ブロック（１３０７）からの、サブキャリア周波数の周りに反射された対応する周波数における係数の大きさと、ブロック（１３１８）からの処理される係数の周波数と、ブロック（１３３０）からの（サブキャリアを用いて）復調された処理される係数に対応する周波数における係数の大きさと、に基づいてルックアップテーブル（１３０８）によって行われる。
【００６３】
ブロック（１３３０）は、処理される係数の周波数とサブキャリア周波数との間の（３次元的）周波数差を決定し、それからこの差分周波数における係数の大きさをルックアップテーブル（１３０８）に渡す。
【００６４】
例えば１９０ｃ／ａｐｗ、１２５ｃ／ａｐｈ、−１６Ｈｚの（水平／垂直／時間）周波数による係数がＮＴＳＣ復号器で処理されつつあるものと仮定する。サブキャリア周波数は、１８８ｃ／ａｐｗ、１２０ｃ／ａｐｈ、−１５Ｈｚに対応し、したがって差分周波数は２ｃ／ａｐｗ、５ｃ／ａｐｈ、−１Ｈｚであり、またこれは、その係数が処理される係数の復号を助けるために使用される周波数である。
【００６５】
テーブル（１３０８）は、ブロック（１３３０）からの出力がブロック（１３０５）からの信号より著しくは小さくないときにその出力を大きくするように整えられる。この状況では、処理される係数は真のクロミナンスである可能性がより高くなる。代替としてテーブルは、ブロック（１３３０）の出力の絶対値が適当な閾値を超えるときにクロミナンスに有利に働くように整えられる。
【００６６】
本発明の例がここに説明されたことと、当業者が説明された概念の範囲内に入る他の方法で本発明を実施できることとは、認められなくてはならない。
【図面の簡単な説明】
【００６７】
【図１】従来技術のＰＡＬ復号器を示す図である。
【図２】ＰＡＬ信号の垂直／時間スペクトルを示す図である。
【図３】本発明の一実施形態による復号器を示す図である。
【図４】ルックアップテーブル関数示す図である。
【図５】ＮＴＳＣ信号の垂直／時間スペクトルを示す図である。
【図６】本発明の他の一態様による複合信号復号器を示す図である。
【図７】本発明の更に他の一態様による複合信号復号器を示す図である。
【図８】輝度処理ルックアップテーブルを示す図である。
【図９】クロミナンス処理ルックアップテーブルを示す図である。
【図１０】高周波数損失を修正するためのルックアップテーブルを示す図である。
【図１１】本発明の他の一実施形態による複合信号復号器を示す図。
【図１２】本発明の変形例を示す図。
【図１３】代替変形例を示す図。
【図１】
0004712392.tif 000002
【図２】
0004712392.tif 000003
【図３】
0004712392.tif 000004
【図４】
0004712392.tif 000005
【図５】
0004712392.tif 000006
【図６】
0004712392.tif 000007
【図７】
0004712392.tif 000008
【図８】
0004712392.tif 000009
【図９】
0004712392.tif 000010
【図１０】
0004712392.tif 000011
【図１１】
0004712392.tif 000012
【図１２】
0004712392.tif 000013
【図１３】
0004712392.tif 000014